(57)【要約】【課題】スノーボード用のビンディング【解決手段】主本体（２）と、これに規定される該当エリア（１２）を保護またはマスクするための少なくとも１つのプレート（１５）とを備えるスノーボード用ビンディングであって、プレート（１５）は、エリア（１２）を保護またはマスクするために主本体（２）と係脱可能にスナップ係合されることが可能である。【選択図】図１
2004516117.tif 000002
【特許請求の範囲】
【請求項１】
主本体（２）と、主本体（２）に規定されたそれぞれのエリア（１２）を保護またはマスクするための少なくとも１つのプレート（１５）とを有する、特に、スノーボード用のビンディングであって、
プレート（１５）は、少なくとも１つのエリア（１２）を保護および／またはマスクするために主本体（２）と係脱可能にスナップ係合されることができる点を特徴とするビンディング。
【請求項２】
少なくとも１つのエリア（１２）が、主本体（２）の第１の壁（７）内に規定されており、プレート（１５）は、主本体（２）の第１の壁（７）と第２の壁（８）の間に規定されるスペース（９）内に取り外し可能に挿入されることができ、第２の壁（８）は、プレート（１５）が、主本体（２）から取り外されたとき、エリア（１２）にアクセスすることを可能にするために、少なくとも１つのエリア（１２）の領域に凹部（１３）を有する請求項１記載のビンディング。
【請求項３】
プレート（１５）が、主本体（２）と係合されたとき、プレートは、第２の壁（８）内において、凹部（１３）にフィットする形態で少なくとも部分的に係合され、プレート（１５）を凹部（１３）内に係合状態で保持するために、弾性手段（１４）が設けられる請求項２記載のビンディング。
【請求項４】
プレート（１５）を凹部（１３）から簡単に釈放するために、１つの傾斜導入面（１７）が、凹部（１３）内におけるプレート（１５）の挿入方向とは反対の方向に面する凹部（１３）のリムの一部分に形成される請求項３記載のビンディング。
【請求項５】
複数のエリア（１２）が主本体（２）に規定されており、各プレート（１５）の全てが、単一マスク要素（１４）に設けられている請求項１〜３のいずれか１または複数の項記載のビンディング。
【請求項６】
マスク要素（１４）は、弾性材料製であり、プレート（１５）を各凹部（１３）内において係合状態で弾性的に保持するために造形されている請求項６記載のビンディング。
【請求項７】
エリア（１２）が、主本体（２）の対向する両側部壁（４）内に規定されており、マスク要素（１４）は、Ｃ字状を呈し、プレート（１５）は、マスク要素（１４）の対向両端部に設けられている請求項６記載のビンディング。
【請求項８】
両側部壁（４）は、主本体（２）のブリッジ要素（５）によって互いに接続されており、マスク要素（１４）は、プレート（１５）がそれぞれの凹部（１３）内に係合されたとき、ブリッジ要素（５）に支持される請求項７記載のビンディング。
【請求項９】
ブリッジ要素（５）は、第２の壁の一方から延出して第２の壁の他方に接続するリップ（８ａ）を有しており、マスク要素（１４）は、リップ（８ａ）によってブリッジ要素（５）と向き合って保持される請求項８記載のビンディング。
【請求項１０】
主本体（２）は、一続きに形成されている請求項１〜９のいずれか１または複数の項記載のビンディング。
【請求項１１】
エリア（１２）は、ビンディングを主本体（２）の緊締具を固定するための孔（１１）、および／または、ねじ手段を有している請求項１〜１０のいずれか１または複数の項記載のビンディング。
【発明の詳細な説明】
【０００１】
技術分野
この発明は、独立請求項１の前文による、特にスノーボード用のビンディングに関する。
技術の背景
このタイプのビンディングは、通常ブーツを支持することを目的にスノーボードに装着される主本体を有し、この主本体に、例えば、ブーツの後部の支持部材および１または複数の緊締用ストラップのような別の要素が固定されてビンディングが完成する。これらの部材は、典型的には、ねじ手段によって主本体に固定され、通常、主本体におけるこれらの固定位置を調節することができるような備品が存在する。実際、各要素について主本体に複数の孔が形成されており、これらの孔は、要素がねじによって固定される異なる位置と対応している。付随する調節能力を損なわないようにするために、これらの孔とねじは目に見えるように残される。
【０００２】
しかしながら、この技術は、ビンディングの調節機能と有効性が妥協されても構わないという潜在的な危険に導かれる。例えば、ねじ手段は、ノックによって緩むことがあり、ねじおよび／またはロックナットは、緩みが発生したり空の孔が損傷を受けたり詰まったりすると失われる。
【０００３】
他の不利益は、ビンディングのこれらの諸パーツが直接目に見えるという事実のために、その全体の外観を部分的に妥協するとともに、更には、ビンディングの外側から突出するねじがどれも磨耗と小さい傷の原因となる。
【０００４】
手短に述べたこの不利益の結果として、上に述べたビンディングのエリアを保護する必要性が生じている。
【０００５】
この発明が関連する技術分野において、ビンディングは、ビンディングをボードに固定する手段とその調節手段が、別のねじ手段によってビンディングの主本体に取り外し可能に固定されるプレートによって保護されるビンディングが知られている。しかしながら、上に規定されたエリアを保護するこの解決手段の移動は、ビンディングの付随的な調節を阻害し、スノーボードの通常の使用条件を決定的に非実際的なものにする。
発明の説明
この発明が立脚する問題は、上に述べた必要性を実現するために、構造的にまた機能的に設計されており、同時にまた、説明した従来技術を参照して明らかにされた限界を克服する、特にスノーボード用のビンディングを提供することである。
【０００６】
この問題の範囲内において、この発明の１つの主目的は、上記のエリアの全体が、一体に保護されるとともに、単一な操作によってアクセスすることが可能な態様で設計されたビンディングを提供することである。
【０００７】
特許請求の範囲の請求項にしたがって形成されたスノーボード用ビンディングによって、この問題が解決され、この目的が達成される。
【０００８】
この発明の特徴と利点は、添付図面を参照しつつ非限定的な例示を介して説明される好ましい具体例の詳細な説明から明らかになろう。
発明の好ましい具体例
この発明によって形成されるスノーボード用ビンディングが、添付図面において符号１で一般的に示されている。
【０００９】
このビンディング１は、添付図面には図示しないスノーボードに装着して、やはり図示しない、シューズまたはブーツを受け入れて拘束するために、スノーボードに調節可能な態様でマウントされる主本体２を有している。
【００１０】
この主本体２は、１続きのプラスチック材料で有利に成形されており、両直立側部壁４がその側端部に沿って存在するベース３を備えている。両側部壁４は、接続されており、シューズまたはブーツの後部を支持するために、ブリッジ要素５によって、ベース３のヒール領域において一体に接合される。
【００１１】
知られたマウントシステムによれば、ベース３は、その周辺端部に（図示しない）円形の孔を有し、主本体２をスノーボードとその調節面に固定するための１対の表面の歯が形成されている。
【００１２】
各側部壁４は、その下方端部がベース３と一体である第１の壁７と、ベース３から側方に離間して配置され、第１の壁７にほぼ平行でかつ離間する第２の壁８とを有している。１つのスペース９がこのようにして第１の壁７と第２の壁８との間に規定される。
【００１３】
第２の壁８もまた、側部壁４の上部リム１０を規定するためにベース３から離間したその端部において第１の壁７に接続されている。
【００１４】
上に説明したように、ブリッジ要素５は、延出して両側部壁４に接続し、両側部壁４の自然の連続部を形成する部分がそこに特定されている。このブリッジ要素５は、このように、第１の壁７、上部リム１０そして第２の壁８に対応して肩部７ａ、リム１０ａ、そしてリップ８ａをそれぞれ規定している。
【００１５】
リップ８ａがリム１０ａから、肩部７ａよりも小程度に延出しているので、肩部７ａの主要部が見えるであろう。
【００１６】
複数個の孔１１が、ビンディングの緊締具を主本体２に対して調節可能な位置に固定するためのねじ手段を挿入するために、ブーツの踝の領域において各第１の壁７内に対称的に形成されている。固定具は、添付図面に示されない従来の態様で固定される。
【００１７】
孔１１の存在は、両側部壁４における孔と、これらの孔に直接隣り合う第１の壁の一部を含むエリア１２の規定に導く。
【００１８】
エリア１２にアクセスするために、各凹部１３が、上に規定されるエリア１２の領域において、各第２の壁８内に設けられている。
【００１９】
この発明によれば、ビンディング１は、ブリッジ要素５の形状ほぼ一致する実質的にＣ字状のマスク要素１４を有している。マスク要素の対向両端部には、両側部壁４内に規定されるエリア１２をマスクするための複数のプレート１５が存在する。
【００２０】
マスク要素１４は、プレート１５が互いに対して弾性的に進退移動することが可能なように弾性材料製であることが好ましい。
【００２１】
プレート１５は、図３に見られるように、互いに向き合う凹窩表面１５ａと第２の壁８内に形成される凹部１３の周辺部にほぼ一致する周辺部とを具備する皿形状を有し、更に、プレート１５は、マスク要素１４の輪郭に対し僅かに突出している。
【００２２】
この発明によれば、マスク要素１４は、主本体２と係脱可能に連結されることができるので、通常の使用状態においては、エリア１２はそれぞれのプレート１５によって保護される。
【００２３】
マスク要素１４は、ブリッジ要素が露出される端部からスペース９内に挿入することによって主本体２と連結される。マスク要素１４の寸法は、両プレート１５が、スペース９内にフィットするように互いに向かって弾性的に移動しなければならないような大きさである。凹部１３の領域においてプレート１５は、したがって、凹部１３内にスナップ係合するように移動される。プレート１５は、こうして凹部１３内において係合状態で弾性的に支持され、壁７，８に平行なそれ以上の相対移動は凹部とプレートの間にフィットする形態によって防止されている。
【００２４】
上記のフィット形態を達成することと同様に、プレート１５の皿形状が、マスク要素１４を挿入する間、両プレートと、孔１１の１つに挿入されて第１の壁７から突出する任意のねじ手段との間の干渉を防止する点に注目すべきである。連結された状態では、このねじ手段はプレート１５の凹窩部内に収容されている。
【００２５】
堅い連結を行なうために、連結状態において、マスク要素１４の主要部が、ブリッジ要素５の肩部７ａと対向して接する点にもまた注目すべきである。更に、前記主要部は、リップ８ａ、リム１０ａ、および、肩部７ａの間に規定されるシート１６内にも部分的に収容される。
【００２６】
上記および図１に記載される結合状態において、プレート１５の表面は、実質的に第２の壁８と同じ平面内にある点にも注目すべきである。
【００２７】
エリア１２へのアクセスを可能にしてマスク要素１４を主本体２から取り外すためには、プレート１５を第１の壁７に向かって押圧して、プレート１５をそれぞれの凹部１３から釈放し、マスク要素１４全体をスペース９から取り出すだけで充分である。
【００２８】
この作業を簡単化するために、１つの傾斜導入面１７が第２の壁８内に有利に設けられ、ブリッジ要素５から離れて凹部１３内に延出する。このように、プレート１５面を単に作動させることによって、マスク要素１４を少なくとも部分的に取り外すことが可能である。
【００２９】
この発明は、このように上記の従来技術に関連する不満足な問題を解決すると同時に、別の利点を提供するが、中でもとりわけ、第１の利点は、全エリアがマスクされること、すなわち、単一の要素によって瞬時に利用可能になることである。
【００３０】
この発明の第２の利点は、マスク要素がその外面形態にしたがって主本体内に挿入されて、ビンディングの外観上の美観を改善することである。
【００３１】
第３の利点は、主本体の特定のエリアの適切な保護が保障されることであり、前記の保護がこれらのエリアへのアクセスの実用性と組み合わされていることである。
【００３２】
第４の利点は、保護されるエリアへのアクセスに別の装置やツールを必要としないことである。
【００３３】
第５の利点は、マスク要素が、主本体の色および／または仕上げとは異なるように製造することができることであり、そのために、ビンディングの様々なタイプの装飾が可能になることである。
【００３４】
上に記載された好ましい具体例においては、この発明が、ねじ固定手段とそれぞれの位置決め孔とを有するエリアを保護するために用いられるが、この発明は、そのような保護またはマスクの必要に対して生じた特定の要件とは無関係に、ビンディングの任意のエリアの保護および／またはマスクに同様に応用することができる点もまた、注目されなければならない。
【図面の簡単な説明】
【図１】
この発明にしたがって形成されるスノーボード用ビンディングを後から見た斜視図。
【図２】
図１のビンディングの第１の細部の図１と同様な斜視図。
【図３】
図１のビンディングの第２の細部の図１と同様な斜視図。
【図１】
2004516117.tif 000003
【図２】
2004516117.tif 000004
【図３】
2004516117.tif 000005
【国際公開パンフレット】
2004516117.tif 000006
2004516117.tif 000007
2004516117.tif 000008
2004516117.tif 000009
2004516117.tif 000010
2004516117.tif 000011
2004516117.tif 000012
2004516117.tif 000013
2004516117.tif 000014
2004516117.tif 000015
2004516117.tif 000016
2004516117.tif 000017
2004516117.tif 000018
2004516117.tif 000019
【国際調査報告】
2004516117.tif 000020
2004516117.tif 000021
2004516117.tif 000022